(57)【要約】【課題】長期検査中の行動記録における被検者の負担を軽減するとともに、医療従事者による検査結果の分析を支援する。【解決手段】心電図記録器２は、被検者Ｓに携帯されて生体情報を取得する。通信装置３は、心電図記録器２と無線通信可能である。通信装置３は、イベントの入力を受け付ける（ＳＴＥＰ２）。当該入力に応じて、通信装置３は、イベントの登録指示を心電図記録器２へ送信する（ＳＴＥＰ３）。心電図記録器２は、イベントの登録指示に応じて、当該イベントの発生を識別するための識別情報を生成する（ＳＴＥＰ５）。通信装置３により受け付け可能なイベントの種別は、ユーザによる定義、編集、および変更の少なくとも一つが可能とされている。【選択図】図３
2019150255.tif 000002
【特許請求の範囲】
【請求項１】
被検者に携帯されて当該被検者の生体情報を取得する検査装置、および当該検査装置と無線通信可能な通信装置を含む行動記録支援システムにおいて少なくとも一つのプロセッサにより実行される行動記録支援方法であって、
イベントの入力を前記通信装置により受け付けるステップと、
前記入力に応じて、前記イベントの登録指示を前記通信装置から前記検査装置へ送信するステップと、
前記登録指示に応じて、前記イベントの発生を識別するための識別情報を、前記検査装置により生成するステップと、
を含んでおり、
前記通信装置により受け付け可能な前記イベントの種別は、ユーザによる定義、編集、および変更の少なくとも一つが可能とされている、
行動記録支援方法。
【請求項２】
前記イベントに係る詳細情報の入力を前記通信装置により受け付けるステップと、
前記詳細情報を前記通信装置から前記検査装置へ送信するステップと、
前記検査装置において前記識別情報と関連付けて前記詳細情報を記録するステップと、
を含んでいる、
請求項１に記載の行動記録支援方法。
【請求項３】
前記識別情報を前記検査装置から前記通信装置へ送信するステップと、
前記識別情報と関連付けて前記詳細情報を前記通信装置から前記検査装置へ送信するステップと、
を含んでいる、
請求項２に記載の行動記録支援方法。
【請求項４】
被検者に携帯されて当該被検者の生体情報を取得する検査装置と無線通信可能な通信装置において少なくとも一つのプロセッサにより実行される行動記録支援方法であって、
イベントの入力を受け付けるステップと、
前記検査装置が識別情報を生成する契機となる前記イベントの登録指示を送信するステップと、
を含んでおり、
前記通信装置により受け付け可能な前記イベントの種別は、ユーザによる定義、編集、および変更の少なくとも一つが可能とされている、
行動記録支援方法。
【請求項５】
前記イベントに係る詳細情報の入力を受け付けるステップと、
前記詳細情報を前記検査装置へ送信するステップと、
を含んでいる、
請求項４に記載の行動記録支援方法。
【請求項６】
前記検査装置から前記識別情報を受信するステップと、
前記識別情報と関連付けて前記詳細情報を前記検査装置へ送信するステップと、
を含んでいる、
請求項５に記載の行動記録支援方法。
【請求項７】
前記被検者の属性を示す属性情報、前記被検者の行動履歴を示す履歴情報、センサから取得したセンサ情報、および時刻情報の少なくとも一つに基づいて、前記被検者の行動を推測するステップと、
推測結果を前記被検者に提示するステップと、
前記推測結果の確認を通じて前記詳細情報の入力を受け付けるステップと、
を含んでいる、
請求項５または６に記載の行動記録支援方法。
【請求項８】
受け付け可能な前記イベントの種別の選択肢を提示するステップを含んでおり、
前記推測結果として、前記選択肢に含まれる前記イベントの種別の数が増減する、
請求項７に記載の行動記録支援方法。
【請求項９】
受け付け可能な前記イベントの種別の選択肢を提示するステップを含んでおり、
前記推測結果として、前記選択肢に含まれるイベントの種別の提示順序が変更される、
請求項７に記載の行動記録支援方法。
【請求項１０】
被検者に装着されて当該被検者の生体情報を取得する検査装置と無線通信可能な通信装置において少なくとも一つのプロセッサにより実行される行動記録支援方法であって、
前記被検者の属性を示す属性情報、前記被検者の行動履歴を示す履歴情報、センサから取得したセンサ情報、および時刻情報の少なくとも一つに基づいて前記被検者の行動を推測するステップと、
推測結果を前記被検者に提示するステップと、
前記推測結果の確認を通じて、行動情報の入力を受け付けるステップと、
を含んでいる、
行動記録支援方法。
【請求項１１】
被検者に携帯されて当該被検者の生体情報を取得し、通信装置と無線通信が可能な検査装置において少なくとも一つのプロセッサにより実行される行動記録支援方法であって、
イベントの登録指示を受け付けるステップと、
前記登録指示に応じて、前記イベントの発生を識別するための識別情報を生成するステップと、
を含んでいる、
行動記録支援方法。
【請求項１２】
前記イベントに係る詳細情報を前記通信装置から受信するステップと、
前記詳細情報を前記識別情報と関連付けて記録するステップと、
を含んでいる、
請求項１１に記載の行動記録支援方法。
【請求項１３】
前記詳細情報の受信に先立って前記識別情報を前記通信装置へ送信するステップを含んでいる、
請求項１２に記載の行動記録支援方法。
【請求項１４】
請求項１から１３のいずれか一項に記載の行動記録支援方法を少なくとも一つのプロセッサに実行させる、
プログラム。
【請求項１５】
請求項１４に記載のプログラムを記憶している、
記憶媒体。
【請求項１６】
請求項４から１０のいずれか一項に記載の行動記録支援方法を実行する少なくとも一つのプロセッサを備えている、
通信装置。
【請求項１７】
請求項１１から１３のいずれか一項に記載の行動記録支援方法を実行する少なくとも一つのプロセッサを備えている、
検査装置。
【発明の詳細な説明】
【技術分野】
【０００１】
本開示は、被検者に携帯されて当該被検者の生体情報を取得する検査装置、および当該検査装置と無線通信可能な通信装置を含む行動記録支援システムにおいて少なくとも一つのプロセッサにより実行される行動記録支援方法に関連する。また、本開示は、当該行動記録支援方法を少なくとも一つのプロセッサに実行させるプログラム、および当該プログラムを記憶する記憶媒体に関連する。さらに、本開示は、当該行動記録支援方法を実行するための通信装置と検査装置に関連する。
【背景技術】
【０００２】
不整脈を発見するために、被検者の心電図を長期間にわたって収集する検査がある。特許文献１は、そのような検査に使用される検査装置の一例を開示している。
【先行技術文献】
【特許文献】
【０００３】
【特許文献１】特開平０８−２９９２９３号公報
【発明の概要】
【発明が解決しようとする課題】
【０００４】
被検者が医療従事者の管理下にない間も検査は継続される。その間、当該被検者は、行動記録を義務付けられる。具体的には、起床、運動、食事、入浴、排便、就寝などの行動に加え、胸痛を自覚した日時が所定の用紙に手書きで記録される。後日、医療従事者は、当該記録を参照しつつ検査装置により取得された生体情報を確認することによって、被検者の行動と生体情報の関連性について分析する。
【０００５】
しかしながら、そのような逐次の手書き記録は被検者にとって手間であり、時と場所によっては記録が困難な場合もあるので、行動記録の失念や誤りが生じることがある。そのような記録の不備は、医療従事者による正確な分析を妨げる一因になりうる。
【０００６】
本開示の目的は、長期検査中の行動記録における被検者の負担を軽減するとともに、医療従事者による検査結果の分析を支援することである。
【課題を解決するための手段】
【０００７】
上記の目的を達成するための本開示の一態様は、被検者に携帯されて当該被検者の生体情報を取得する検査装置、および当該検査装置と無線通信可能な通信装置を含む行動記録支援システムにおいて少なくとも一つのプロセッサにより実行される行動記録支援方法であって、
イベントの入力を前記通信装置により受け付けるステップと、
前記入力に応じて、前記イベントの登録指示を前記通信装置から前記検査装置へ送信するステップと、
前記登録指示に応じて、前記イベントの発生を識別するための識別情報を、前記検査装置により生成するステップと、
を含んでおり、
前記通信装置により受け付け可能な前記イベントの種別は、ユーザによる定義、編集、および変更の少なくとも一つが可能とされている。
【０００８】
後日、医療従事者は、識別情報と生体情報とを対比することにより、イベントと生体情報の関連性について分析する。上記のような構成によれば、通信装置における簡易な操作を通じて、イベント発生を識別するための識別情報を検査装置に生成させることが可能である。よって、所定の用紙に手書きで記録を行なう場合と比較して、長期検査における行動記録に係る被検者の負担を大幅に軽減できる。また、イベント発生から識別情報の生成までの経過時間を短縮できるので、医療従事者による検査結果の分析精度を向上できる。さらに、通信装置によって受け付け可能なイベントの種別は、ユーザによる定義、編集、および変更の少なくとも一つが可能とされているので、被検者の属性や生活習慣に応じた構成が可能な柔軟性と自由度の高いイベント入力ユーザインターフェースを提供できる。このことによっても、行動記録に係る被検者の負担を軽減できるとともに、医療従事者による検査結果の分析を支援できる。
【図面の簡単な説明】
【０００９】
【図１】一実施形態に係る行動記録支援システムの構成を示している。
【図２】上記の行動記録支援システムにおける携帯型心電図記録器と通信装置の機能構成を示している。
【図３】上記の行動記録支援システムにおいて行なわれる行動記録支援方法の第一の例を示している。
【図４】図３の行動記録支援方法に係るユーザインターフェースの例を示している。
【図５】図３の行動記録支援方法に係るユーザインターフェースの例を示している。
【図６】上記の行動記録支援システムにおいて行なわれる行動記録支援方法の第二の例を示している。
【図７】図６の行動記録支援方法に係るユーザインターフェースの例を示している。
【図８】上記の行動記録支援システムにおいて行なわれる行動記録支援方法の第三の例を示している。
【図９】図８の行動記録支援方法に係るユーザインターフェースの例を示している。
【図１０】上記の行動記録支援システムにおいて行なわれる行動記録支援方法の第四の例を示している。
【発明を実施するための形態】
【００１０】
添付の図面を参照しつつ、実施形態の例を以下詳細に説明する。
【００１１】
図１に示されるように、一実施形態に係る行動記録支援システム１は、携帯型心電図記録器２（以下、単に心電図記録器２と記す）を含んでいる。心電図記録器２は、被検者Ｓに携帯される。換言すると、心電図記録器２は、被検者Ｓが携帯可能な寸法と重量を有するように構成されている。心電図記録器２は、検査装置の一例である。
【００１２】
図１に示されるように、被検者Ｓの胸部には複数の電極Ｅが装着および固定される。各電極Ｅは、装着された身体部位の生体電位を検出する。図２に示されるように、心電図記録器２は、インターフェース２０を備えている。各電極Ｅを通じて検出された生体電位に対応する信号は、インターフェース２０に入力される。インターフェース２０は、入力された信号を後段の処理に必要な心電図データに変換する回路を含んでいる。当該回路としては、Ａ／Ｄ変換回路、フィルタ回路などが例示されうる。すなわち、心電図データは、被検者Ｓの心電図に対応するデジタルデータである。心電図データは、生体情報の一例である。
【００１３】
図１に示される例においては、複数の電極Ｅが心電図記録器２に有線接続されている。しかしながら、各電極Ｅを通じて検出された生体電位に対応する信号は、無線通信を介してインターフェース２０に入力されてもよい。あるいは、心電図記録器２に複数の電極Ｅが内蔵された構成も採用されうる。この場合、心電図記録器２は、被検者Ｓの胸部に装着および固定される。
【００１４】
図２に示されるように、心電図記録器２は、記録部２１を備えている。記録部２１は、心電図データを記録するためのストレージを備えるように構成されている。ストレージの例としては、半導体メモリやハードディスクドライブなどが例示されうる。
【００１５】
図１に示されるように、行動記録支援システム１は、通信装置３を含んでいる。通信装置３は、被検者Ｓが携帯可能な寸法と重量を有するように構成されている。通信装置３としては、スマートフォンやタブレット端末などが例示されうる。
【００１６】
したがって、図２に示されるように、通信装置３は、表示部３１と通信部３２を備えている。表示部３１は、タッチ操作入力を受け付け可能な液晶ディスプレイパネルや有機ＥＬディスプレイパネルなどを備えるように構成されうる。通信部３２は、少なくとも心電図記録器２との無線通信が可能である通信インターフェースを備えるように構成されうる。よって、心電図記録器２は、通信部２２を備えている。通信部２２は、少なくとも通信装置３との無線通信が可能である通信インターフェースを備えている。
【００１７】
通信部２２および通信部３２を構成しうる通信インターフェースとしては、ＲＦＩＤ（Radio Frequency Identification）、ＮＦＣ（Near Field Communication）、Bluetooth（登録商標）やWi-Fiなどの規格に準拠した通信インターフェースが例示されうる。
【００１８】
心電図記録器２は、制御部２３を備えている。制御部２３は、プロセッサを備えている。プロセッサは、後述する行動記録支援方法の少なくとも一部を実行するように構成されている。プロセッサの機能は、メモリと協働して動作する汎用マイクロプロセッサにより実現されてもよいし、マイクロコントローラ、ＦＰＧＡ、ＡＳＩＣなどの専用集積回路によって実現されてもよい。
【００１９】
心電図記録器２において、インターフェース２０、記録部２１、通信部２２、および制御部２３は、通信バス２４を介して相互に信号やデータのやり取りが可能とされている。
【００２０】
通信装置３は、制御部３３を備えている。制御部３３は、プロセッサを備えている。プロセッサは、後述する行動記録支援方法の少なくとも一部を実行するように構成されている。プロセッサの機能は、メモリと協働して動作する汎用マイクロプロセッサにより実現されてもよいし、マイクロコントローラ、ＦＰＧＡ、ＡＳＩＣなどの専用集積回路によって実現されてもよい。
【００２１】
通信装置３は、記憶部３４を備えている。記憶部３４は、種々のデータを記憶するためのストレージを備えるように構成されている。ストレージの例としては、半導体メモリやハードディスクドライブなどが例示されうる。
【００２２】
通信装置３において、表示部３１、通信部３２、制御部３３、および記憶部３４は、通信バス３５を介して相互に信号やデータのやり取りが可能とされている。
【００２３】
図３は、上記のように構成された行動記録支援システム１において行なわれる行動記録支援方法の第一の例を示している。心電図記録器２において実行される処理は、制御部２３の制御下において行なわれる。通信装置３において実行される処理は、制御部３３の制御下において行なわれる。
【００２４】
心電図記録器２は、複数の電極Ｅが所定の身体部位に装着・固定された状態で、被検者Ｓにより携帯される。被検者Ｓは、医療従事者の管理下にない間、通信装置３を用いた行動記録を行なうように指導される。具体的には、起床、運動、食事、入浴、排便、就寝などの所定の行動がなされた日時に加え、動悸や胸痛などの異常を自覚した日時が記録される。所定の行動がなされることと、異常の自覚を「イベントの発生」と総称する。
【００２５】
イベントが発生すると（ＳＴＥＰ１）、被検者Ｓは、通信装置３に対してイベントの入力操作を行なう。図４の（Ａ）は、通信装置３の表示部３１に表示されるイベント登録画面の一例を示している。表示部３１には、「入浴」、「胸痛」、「食事」、および「トイレ」のイベントボタン画像が表示されている。例えば入浴後の被検者Ｓは、イベントの入力操作として、「入浴」イベントボタンをタッチ操作する。被検者Ｓによる「入浴」の発声が通信装置３によって音声認識されることで「入浴」イベントボタン画像の操作が有効とされてもよい。通信装置３は、被検者Ｓによるイベントの入力を受け付ける（ＳＴＥＰ２）。
【００２６】
イベントの入力が確定されると、通信装置３は、通信部３２を介して心電図記録器２へイベント登録指示を送信する（ＳＴＥＰ３）。心電図記録器２は、通信部２２を介して当該イベント登録指示を受信する（ＳＴＥＰ４）。
【００２７】
心電図記録器２は、受信したイベント登録指示に応じて、識別情報を生成する（ＳＴＥＰ５）。生成された識別情報は、記録部２１に記録されうる。すなわち、イベント登録指示は、識別情報の生成の契機となる。識別情報は、イベント登録指示に係るイベントの発生を識別するための情報である。本例において、識別情報は、イベント登録指示の受信日時や「入浴」というイベント名を含みうる。
【００２８】
通信装置３によって受け付け可能なイベントの種別は、ユーザによる定義、編集、および変更の少なくとも一つが可能とされている。ユーザは、少なくとも医療従事者と被検者Ｓを含む。
【００２９】
例えば、図４の（Ａ）において表示部３１に表示されているイベントボタン画像の種別、数、順序などは、ユーザの属性や生活習慣に応じて変更可能である。「属性」とは、性別、年齢、職業、病歴などを含む概念である。例えば、「トイレ」イベントボタン画像に代えて「運動」イベントボタン画像が表示されてもよい。「運動」を示すイベントボタン画像に代えて、「スポーツ」イベントボタン画像と「階段昇降」イベントボタン画像が個別に定義されてもよい。より操作頻度の高いイベントボタン画像のみが初期画面に表示され、その他のイベントボタン画像がスクロール操作によって画面内に現れる構成とされてもよい。すなわち、イベント入力に係るユーザインターフェースは、イベントの発生に係る必要最低限の情報を心電図記録器２へ伝達できるように、ユーザによって設定可能である。
【００３０】
後日、医療従事者は、識別情報と記録部２１に記録された心電図データとを対比することにより、イベントと心電図データの関連性について分析する。上記のような構成によれば、通信装置３における簡易な操作を通じて、イベント発生を識別するための識別情報を心電図記録器２に生成させることが可能である。よって、所定の用紙に手書きで記録を行なう場合と比較して、長期検査における行動記録に係る被検者Ｓの負担を大幅に軽減できる。また、イベント発生から識別情報の生成までの経過時間を短縮できるので、医療従事者による検査結果の分析精度を向上できる。さらに、通信装置３によって受け付け可能なイベントの種別は、ユーザによる定義、編集、および変更の少なくとも一つが可能とされているので、被検者Ｓの属性や生活習慣に応じた構成が可能な柔軟性と自由度の高いイベント入力ユーザインターフェースを提供できる。このことによっても、行動記録に係る被検者Ｓの負担を軽減できるとともに、医療従事者による検査結果の分析を支援できる。
【００３１】
図４の（Ｂ）に示されるように、通信装置３の表示部３１は、詳細情報入力画面を表示しうる。詳細情報入力画面は、ＳＴＥＰ１において発生したイベントの詳細に係る情報を入力するための画面である。本例においては、詳細情報入力画面は、イベントの詳細の説明を入力するためのテキストボックスを含んでいる。図３に示されるように、被検者Ｓは、詳細情報の入力を開始する（ＳＴＥＰ６）。例えば図４の（Ｂ）に示されるように、被検者Ｓは、先に登録された「入浴」イベントの詳細として、「サウナに３０分入る」という説明をテキストボックスに入力する。
【００３２】
図３に示されるように、詳細情報の入力は、上記のテキスト入力に加えてあるいは代えて、音声録音と映像録画の少なくとも一方を介して行なわれてもよい。
【００３３】
被検者Ｓが詳細情報の入力を終えると（ＳＴＥＰ７）、通信装置３は、詳細情報の入力を受け付ける（ＳＴＥＰ８）。
【００３４】
例えば詳細情報入力画面に表示されている「詳細情報送信」ボタン画像を被検者Ｓが操作すると、通信装置３は、テキストデータ、音声データ、および映像データの少なくとも一つを含む詳細情報を、通信部３２を介して心電図記録器２へ送信する（ＳＴＥＰ９）。心電図記録器２は、通信部２２を介して当該詳細情報を受信する（ＳＴＥＰ１０）。
【００３５】
心電図記録器２は、受信した詳細情報を、ＳＴＥＰ５で生成された識別情報と関連付けて記録部２１に記録する（ＳＴＥＰ１１）。
【００３６】
このような構成によれば、被検者Ｓは、イベントの発生に基づいて心電図記録器２に識別情報を生成させた後、時間的余裕をもって当該イベントの詳細を補足説明する情報を入力できる。所定の用紙に手書きで記録を行なう場合と比較して、被検者Ｓは、より自由度の高い詳細情報の入力を許容される。後日、医療従事者は、記録部２１に記録された心電図データと詳細情報を対比することにより、被検者Ｓの行動と心電図データの関連性についてより具体的な情報を得ることができる。したがって、長期検査における行動記録に係る被検者Ｓの負担を軽減できるだけでなく、医療従事者による検査結果の分析をより強く支援できる。
【００３７】
心電図記録器２は、ＳＴＥＰ５において生成された識別情報を、詳細情報の受信に先立ち通信部２２を介して通信装置３へ送信するように構成されうる（ＳＴＥＰ１２）。通信装置３は、通信部３２を介して当該識別信号を受信する（ＳＴＥＰ１３）。
【００３８】
この場合、通信装置３は、ＳＴＥＰ８で受け付けた詳細情報を、ＳＴＥＰ１３で受信した識別情報と関連付けて心電図記録器２へ送信するように構成されうる（ＳＴＥＰ９）。心電図記録器２は、識別情報と関連付けられた状態で詳細情報を受信し（ＳＴＥＰ１０）、受信した識別情報および詳細情報を記録部２１に記録する（ＳＴＥＰ１１）。
【００３９】
このような構成によれば、識別情報と詳細情報の関連付けに係る処理が通信装置３に委ねられるので、心電図記録器２の制御部２３における処理負荷を軽減できる。これにより、心電図記録器２の電力消費が抑制され、電池持続時間を延長できる。
【００４０】
図５の（Ａ）は、イベント入力の受け付け時において通信装置３の表示部３１に表示されるイベント登録画面の別例を示している。本例に係るイベント登録画面は、図４の（Ａ）に示される具体的なイベント種別を示すボタン画像に代えて、「イベント登録」ボタン画像のみを表示している。
【００４１】
例えば被検者Ｓが運動時に胸痛を感じた場合、イベントの入力操作として、「イベント登録」ボタン画像がタッチ操作される。あるいは、被検者Ｓによる「イベント登録」の発声が通信装置３によって音声認識されることで「イベント登録」ボタン画像の操作が有効とされてもよい。
【００４２】
図３に示されるように、通信装置３は、被検者Ｓによるイベントの入力を受け付ける（ＳＴＥＰ２）。通信装置３は、通信部３２を介して心電図記録器２へイベント登録指示を送信する（ＳＴＥＰ３）。心電図記録器２は、通信部２２を介して当該イベント登録指示を受信する（ＳＴＥＰ４）。心電図記録器２は、受信したイベント登録指示に応じて、識別情報を生成する（ＳＴＥＰ５）。生成された識別情報は、記録部２１に記録されうる。この場合、識別情報は、イベント登録指示の受信日時を含みうる。
【００４３】
図５の（Ｂ）は、通信装置３の表示部３１に表示される詳細情報入力画面の別例を示している。本例においては、図４の（Ｂ）に示されるテキストボックスに加えて、イベント種別を選択するためのドロップダウンリストが表示されている。図３に示されるように、被検者Ｓは、詳細情報の入力を開始する（ＳＴＥＰ６）。例えば図５の（Ｂ）に示されるように、被検者Ｓは、発生したイベントの種別として「運動」を選択し、補足情報として「ジョギング中に胸痛を覚えた」という説明をテキストボックスに入力する。
【００４４】
図３に示されるように、被検者Ｓが詳細情報の入力を終えると（ＳＴＥＰ７）、通信装置３は、詳細情報の入力を受け付ける（ＳＴＥＰ８）。前述のように、詳細情報の入力は、上記のテキスト入力に加えてあるいは代えて、音声録音と映像録画の少なくとも一方を介して行なわれうる。
【００４５】
通信装置３は、テキストデータ、音声データ、および映像データの少なくとも一つを含む詳細情報を、通信部３２を介して心電図記録器２へ送信する（ＳＴＥＰ９）。心電図記録器２は、通信部２２を介して当該詳細情報を受信する（ＳＴＥＰ１０）。心電図記録器２は、受信した詳細情報を、ＳＴＥＰ５で生成された識別情報と関連付けて記録部２１に記録する（ＳＴＥＰ１１）。
【００４６】
本例は、詳細情報の入力を前提とする場合に有効なユーザインターフェースを提供できる。すなわち、被検者Ｓは、「イベント登録」ボタン画像を操作するという単純な行為のみで、イベントが発生したという事実を心電図記録器２に通知できる。被検者Ｓは、心電図記録器２に識別情報を生成させた後、時間的余裕をもって当該イベントの詳細を補足説明する情報を入力できる。本例は、発生したイベントが緊急性を有する場合（胸痛や動悸の自覚など）において特に有効である。
【００４７】
図６は、行動記録支援システム１において行なわれる行動記録支援方法の第二の例を示している。第一の例と実質的に同じ処理については、同一のステップ番号を付与している。第一の例と同様に、心電図記録器２において実行される処理は、制御部２３の制御下において行なわれる。通信装置３において実行される処理は、制御部３３の制御下において行なわれる。
【００４８】
イベントが発生すると（ＳＴＥＰ１）、被検者Ｓは、心電図記録器２に対してイベントの登録指示を入力する。例えば、心電図記録器２に設けられた物理的ボタンが操作されることにより、心電図記録器２による登録指示の受け付けがなされる（ＳＴＥＰ４）。
【００４９】
心電図記録器２は、受信したイベント登録指示に応じて、識別情報を生成する（ＳＴＥＰ５）。識別情報は、イベント登録指示の受信日時を示す時刻情報を含む。
【００５０】
少なくとも一度の登録指示の受け付け（ＳＴＥＰ４）と識別情報の生成（ＳＴＥＰ５）が行なわれた後、被検者Ｓは、通信装置３に対して詳細情報の登録指示を入力する（ＳＴＥＰ２１）。例えば、通信装置３の表示部３１に表示された「詳細情報の登録」ボタン画像がタッチ操作されることにより、通信装置３は、詳細情報の登録指示を受け付ける（ＳＴＥＰ２２）。
【００５１】
詳細情報の登録指示を受け付けた通信装置３は、通信部３２を介して心電図記録器２へ識別情報要求を送信する（ＳＴＥＰ２３）。心電図記録器２は、通信部２２を介して当該識別情報要求を受信する（ＳＴＥＰ２４）。
【００５２】
心電図記録器２は、ＳＴＥＰ４とＳＴＥＰ５を通じて生成された少なくとも一つのイベントに対応する識別情報を、通信部２２を介して通信装置３へ送信する（ＳＴＥＰ２５）。通信装置３は、通信部３２を介して当該識別情報を受信する（ＳＴＥＰ２６）。
【００５３】
通信装置３は、受信した識別情報に基づいて、詳細情報の入力を支援するためのユーザインターフェースの生成と提示を行なう（ＳＴＥＰ２７）。図７の（Ａ）は、そのような入力支援ユーザインターフェースの一例を示している。本例においては、ＳＴＥＰ２２において詳細情報の登録指示が受け付けられるまでに４回のイベント登録指示がなされている。入力支援ユーザインターフェースは、登録イベントリストを含んでいる。登録イベントリストは、各イベント登録指示が心電図記録器２に受信された日時を示す識別情報に基づいて生成されている。
【００５４】
被検者Ｓが登録イベントリストに含まれている複数のイベントから一つを選択すると、図７の（Ｂ）に示される詳細情報入力用のユーザインターフェースが表示部３１に表示される。本例においては、「No.1」のイベントが選択された結果、イベント種別を選択するためのドロップダウンリストと補足情報を入力するためのテキストボックスが表示されている。
【００５５】
図６に示されるように、被検者Ｓは、詳細情報の入力を開始する（ＳＴＥＰ６）。例えば図７の（Ｂ）に示されるように、被検者Ｓは、発生したイベントの種別として「運動」を選択し、補足情報として「２０分間のウォーキング」という説明をテキストボックスに入力する。
【００５６】
図６に示されるように、被検者が詳細情報の入力を終えると（ＳＴＥＰ７）、通信装置３は、詳細情報の入力を受け付ける（ＳＴＥＰ８）。第一の例と同様に、詳細情報の入力は、上記のテキスト入力に加えてあるいは代えて、音声録音と映像録画の少なくとも一方を介して行なわれうる。
【００５７】
通信装置３は、テキストデータ、音声データ、および映像データの少なくとも一つを含む詳細情報を、通信部３２を介して心電図記録器２へ送信する（ＳＴＥＰ９）。心電図記録器２は、通信部２２を介して当該詳細情報を受信する（ＳＴＥＰ１０）。心電図記録器２は、受信した詳細情報を、ＳＴＥＰ５で生成された識別情報と関連付けて記録部２１に記録する（ＳＴＥＰ１１）。
【００５８】
図７の（Ａ）の登録イベントリストに表示された残りの各イベントについても、上述したＳＴＥＰ６からＳＴＥＰ１１に係る処理が繰り返される。これにより、ＳＴＥＰ２２において通信装置３によって詳細情報の登録指示が受け付けられる前に心電図記録器２によって受け付けられた全てのイベントについて、詳細情報が記録部２１に記録される。
【００５９】
このような構成によれば、行動記録を行なうにあたって被検者Ｓが常に通信装置３を携帯している必要がない。被検者Ｓは、常に携帯されている心電図記録器２に対して簡易な操作を行なうのみで、発生したイベントに係る詳細情報と関連付けられる識別情報を心電図記録器２に生成させることが可能である。すなわち、被検者Ｓは、イベントの発生から識別情報の生成までの経過時間を短縮可能でありながら、識別情報を生成するために常に通信装置３を携帯する必要がない。被検者Ｓは、心電図記録器２に識別情報を生成させた後、時間的余裕をもって当該イベントの詳細を補足説明する情報を入力できる。よって、行動記録に係る被検者Ｓの負担を軽減できるとともに、医療従事者による検査結果の分析を支援できる。
【００６０】
図８は、行動記録支援システム１において行なわれる行動記録支援方法の第三の例を示している。第一の例と実質的に同じ処理については、同一のステップ番号を付与し、繰り返しとなる説明は省略する。第一の例と同様に、心電図記録器２において実行される処理は、制御部２３の制御下において行なわれる。通信装置３において実行される処理は、制御部３３の制御下において行なわれる。
【００６１】
本例は、詳細情報の入力が行なわれる場合において入力支援ユーザインターフェースが提供されうる点において第一の例と相違する。具体的には、通信装置３は、被検者Ｓの属性情報、被検者Ｓの履歴情報、およびセンサ情報の少なくとも一つに基づいて被検者Ｓの行動を推測し、推測結果を入力支援ユーザインターフェースとして表示しうる（ＳＴＥＰ３１）。
【００６２】
属性情報とは、被検者Ｓの属性を示す情報である。属性としては、性別、年齢、職業、病歴などが例示されうる。属性情報は、医療従事者または被検者Ｓ自身によって通信装置３に入力され、記憶部３４に保存される。属性情報は、心電図記録器２における所定の記憶領域に保存されてもよい。この場合、通信装置３は、通信部２２と通信部３２を介して心電図記録器２から属性情報を取得する。
【００６３】
履歴情報とは、被検者Ｓの行動履歴を示す情報である。履歴情報は、過去に通信装置が受け付けたイベント入力や詳細情報入力に基づいて生成される。履歴情報には、少なくとも発生したイベントの種別が発生日時と関連付けられて含まれる。履歴情報は、例えばイベント登録指示や詳細情報の心電図記録器２への送信時において、記憶部３４に保存される。心電図記録器２の記録部２１に記録されている識別情報や詳細情報もまた、履歴情報になりうる。よって、通信装置３は、通信部２２と通信部３２を介して、これらの情報を履歴情報として心電図記録器２から取得しうる。
【００６４】
図２に示されるように、心電図記録器２は、電極Ｅとは別のセンサＳＲと接続されうる。センサＳＲとしては、温度センサ、加速度センサなどが例示されうる。電極Ｅもまたセンサの一例である。心電図記録器２とセンサＳＲの間での信号やデータの通信は、有線通信によりなされてもよいし、無線通信によりなされてもよい。センサＳＲは、心電図記録器２に内蔵されてもよい。
【００６５】
センサ情報は、電極ＥとセンサＳＲの少なくとも一方から取得される情報である。例えば、電極Ｅからは被検者Ｓの心拍数などの情報が得られる。温度センサからは被検者Ｓの体温や外気温などの情報が得られる。加速度センサからは、被検者Ｓの体動に係る情報が得られる。センサＳＲまたはセンサＳＲを備えた機器が無線通信機能を有している場合、センサ情報は、心電図記録器２を介することなく通信装置３により取得されてもよい。
【００６６】
図９の（Ａ）は、被検者Ｓの属性情報と履歴情報の少なくとも一方を用いて生成された詳細情報入力画面の一例を示している。本例に係る詳細情報入力画面は、イベント種別を選択するためのドロップダウンリストと補足情報を入力するためにテキストボックスを含んでいる。ドロップダウンリストは、イベントの種別の選択肢の一例である。
【００６７】
このドロップダウンリストは、被検者Ｓの属性情報と履歴情報の少なくとも一方に基づいて、初期状態から変更されている。例えば、被検者Ｓが４０代男性の会社員であり、平日は電車で勤務先に通勤しているという情報が、属性情報や履歴情報から取得されうる。この場合、通信装置３は、当該情報に基づいて被検者Ｓの行動を推測し、選択される可能性が低い「運動」というイベント種別を非表示にする。本例においては、「通勤（電車）」、「階段」、「会議」といった被検者Ｓが選択する可能性の高いイベント種別が、推測結果としてドロップダウンリストに表示されている。
【００６８】
あるいは、初期状態のドロップダウンリストに含まれているイベント種別の表示順序が、属性情報と履歴情報の少なくとも一方に基づいて変更されてもよい。例えば、初期状態では「運動」が「会議」よりもリストの上位に表示されている場合、上記の属性情報や履歴情報に基づいて、「会議」が「運動」よりもリストの上位に表示されるように変更がなされうる。
【００６９】
上記のようにドロップダウンリストに表示される受け付け可能なイベント種別の数が減らされたり、表示の優先順位が変更されたりすることにより、被検者Ｓは、入力を所望するイベント種別をより容易に選択肢から見つけることができる。これにより、行動記録に係る被検者Ｓの負担をさらに軽減できる。なお上述の例では、ドロップダウンリストに表示されるイベント種別の数が減らされる例を説明したが必ずしもこれに限られず、属性情報や履歴情報の内容によってはイベント種別が増加するようになってもよい。
【００７０】
通信装置３が保持している時刻情報に基づいて、上記の推測結果が変更されうる。一例として時刻情報が週末の朝を示している場合、上記の「通勤（電車）」よりも「運動」の優先順位が高められうる。別例として時刻情報が深夜を示している場合、「入浴」や「就寝」といったイベント種別の優先順位が高められうる。
【００７１】
このような構成によれば、提示される推測結果の精度が高まり、行動記録に係る被検者Ｓの負担をさらに軽減できる。
【００７２】
図９の（Ｂ）は、センサ情報を用いて生成された詳細情報入力画面の一例を示している。本例に係る詳細情報入力画面は、センサ情報に基づく推測結果に係るダイアログを含んでいる。
【００７３】
例えば、加速度センサが、１０時３２分から１１時１０分までの間、被検者Ｓの比較的大きな体動を検出した場合、通信装置３は、その検出結果を示すセンサ情報に基づいて、被検者Ｓが何らかの運動を行なっていたと推測する。その結果、「１０時３２分〜１１時１０分まで運動をしていましたか？」というダイアログとともに、「ランニング」、「ウォーキング」、「その他激しい運動」、および「その他軽い運動」というイベント種別を含むドロップダウンリストが表示部３１に表示されている。
【００７４】
このような構成によっても、被検者Ｓは、入力を所望するイベント種別をより容易に選択肢から見つけることができる。これにより、行動記録に係る被検者Ｓの負担をさらに軽減できる。
【００７５】
通信装置３が保持している時刻情報に基づいて、上記の推測結果が変更されうる。一例として時刻情報が平日の朝を示している場合、体動を示すセンサ情報に基づいて「階段」などのイベント種別が追加されうる。別例として時刻情報が深夜を示している場合、体温上昇を示すセンサ情報に基づいて「入浴」などのイベント種別が追加されうる。
【００７６】
このような構成によれば、提示される推測結果の精度が高まり、行動記録に係る被検者Ｓの負担をさらに軽減できる。
【００７７】
推測結果に誤りがあった場合や、提示された選択肢に所望のイベント種別が含まれていなかった場合、被検者Ｓは、正しい詳細情報を入力する。推測結果と入力された詳細情報の一致または不一致は、通信装置３の制御部３３が保有する学習アルゴリズムにフィードバックされ、次回の推測結果に反映される。学習アルゴリズムは、通信装置３がネットワークを通じて接続可能な外部サーバが保有していてもよい。
【００７８】
このような構成によれば、学習を重ねるに連れて提示される推測結果の精度が向上し、行動記録に係る被検者Ｓの負担をさらに軽減できる。
【００７９】
詳細情報入力画面の内容（推測結果）は、時刻情報のみに基づいて変更されてもよい。
【００８０】
本例においては、心電図記録器２において生成された識別情報は、通信装置３へ送信されていない。しかしながら、図６を参照して説明した第二の例のように、心電図記録器２と通信装置３の間で識別情報の送受信がなされてもよい。すなわち、図６におけるＳＴＥＰ２３〜ＳＴＥＰ２６が組み合わせられうる。
【００８１】
図１０は、行動記録支援システム１において行なわれる行動記録支援方法の第四の例を示している。本例においては、心電図記録器２における識別情報の生成は行なわれず、被検者Ｓの属性情報、履歴情報、およびセンサ情報の少なくとも一つに基づく被検者Ｓの行動の推測と、推測結果の確認を通じた行動情報の入力が行なわれる。
【００８２】
具体的には、通信装置３において、被検者Ｓの属性情報、履歴情報、およびセンサ情報の少なくとも一つが取得される（ＳＴＥＰ４１）。属性情報、履歴情報、およびセンサ情報の所在、および各情報の取得手法については、第三の例と同様である。
【００８３】
被検者Ｓが通信装置３に対して行動情報の登録指示を行なうと（ＳＴＥＰ４２）、通信装置３は、取得した被検者Ｓの属性情報、履歴情報、およびセンサ情報の少なくとも一つに基づいて、被検者Ｓの行動を推測し（ＳＴＥＰ４３）、推測結果を表示部３１に表示する（ＳＴＥＰ４４）。推測結果は、図９の（Ａ）や図９の（Ｂ）に示されるようなユーザインターフェースを通じて提示される。第三の例と同様に、推測結果は、時刻情報に応じて変更されうる。
【００８４】
図１０に示されるように、被検者Ｓは、推測結果を確認しながら、行動情報の入力を開始する（ＳＴＥＰ４５）。具体的には、発生したイベント種別のドロップダウンリストを通じた選択や、補足情報のテキストボックスへの入力が行なわれる。行動情報の入力は、テキスト入力に加えてあるいは代えて、音声録音と映像録画の少なくとも一方を介して行なわれうる。
【００８５】
被検者Ｓが行動情報の入力を終えると（ＳＴＥＰ４６）、通信装置３は、行動記録の入力を受け付ける（ＳＴＥＰ４７）。所定の操作に応じて、通信装置３は、テキストデータ、音声データ、および映像データの少なくとも一つを含む行動情報を、通信部３２を介して心電図記録器２へ送信する（ＳＴＥＰ４８）。心電図記録器２は、通信部２２を介して当該行動情報を受信する（ＳＴＥＰ４９）。心電図記録器２は、受信した行動情報を、記録部２１に記録する（ＳＴＥＰ５０）。
【００８６】
上記のような構成によれば、通信装置３における簡易な操作を通じて、被検者Ｓの行動情報を記録できる。よって、所定の用紙に手書きで記録を行なう場合と比較して、長期検査における行動記録に係る被検者Ｓの負担を大幅に軽減できる。また、イベント発生から行動記録までの経過時間を短縮できるので、医療従事者による検査結果の分析精度を向上できる。さらに、被検者Ｓの属性情報、履歴情報、およびセンサ情報の少なくとも一つに基づく行動推測結果の確認を通じて行動情報の入力がなされるので、被検者Ｓの属性や生活習慣に応じた構成が可能な柔軟性と自由度の高い行動記録ユーザインターフェースを提供できる。例えば、上述の例では行動推測結果が表示され、その行動推測結果に基づいた入力用のユーザインターフェースが提供される。このことによっても、行動記録に係る被検者Ｓの負担を軽減できるとともに、医療従事者による検査結果の分析を支援できる。
【００８７】
上記の行動記録支援方法は、心電図記録器２のプロセッサと通信装置３のプロセッサがプログラムを実行することによって実現される。当該プログラムは、各プロセッサと協働するメモリに予め組み込まれていてもよいし、当該プログラムを記憶している記憶媒体から読み出してもよい。そのような記憶媒体は、ＳＤカードやＵＳＢメモリのような可搬型記憶媒体として提供されてもよいし、通信装置３が通信ネットワークを介して接続可能なサーバ装置が備える記憶媒体であってもよい。
【００８８】
上記の実施形態は、本開示の理解を容易にするための例示にすぎない。上記の実施形態に係る構成は、本開示の趣旨を逸脱しなければ、適宜に変更・改良されうる。
【００８９】
上記の実施形態においては、被検者Ｓの行動情報を入力するための選択肢の提示が視覚的に行なわれている。しかしながら、選択肢に係るイベントの種別が読み上げられるなどにより、選択肢が聴覚的に提示されてもよい。
【００９０】
上記の実施形態においては、複数の電極Ｅからの信号が心電図記録器２のインターフェース２０に入力されている。しかしながら、単一の電極Ｅからの信号がインターフェース２０に入力される構成も採用されうる。
【００９１】
上記の実施形態においては、検査装置として心電図記録器２が例示されている。しかしながら、被検者Ｓに携帯されて長期間にわたり被検者Ｓの生体情報を取得するように構成された検査装置であれば、行動記録支援システム１を構成しうる。
【符号の説明】
【００９２】
１：行動記録支援システム、２：携帯型心電図記録器、２３：制御部、３：通信装置、３３：制御部、Ｓ：被検者、ＳＲ：センサ
【図１】
2019150255.tif 000003
【図２】
2019150255.tif 000004
【図３】
2019150255.tif 000005
【図４】
2019150255.tif 000006
【図５】
2019150255.tif 000007
【図６】
2019150255.tif 000008
【図７】
2019150255.tif 000009
【図８】
2019150255.tif 000010
【図９】
2019150255.tif 000011
【図１０】
2019150255.tif 000012